(57)【要約】【課題】本発明は光学レンズ分野に関し、レンズモジュールを提供する。【解決手段】本発明では、レンズモジュールは、鏡筒と、鏡筒内に設けられる第１レンズと、鏡筒内に設けられて第１レンズに当接する遮光部材とを含み、第１レンズは、結像のための光学部と、光学部を周回する支持部とを含み、支持部は、物体側から像側へ向かって沈降することによって収容部を形成し、遮光部材は、光軸方向において少なくとも一部が収容部内に収納されている。本発明に係るレンズモジュールは、小型化設計の実現に有利である。【選択図】図１
2020027281.tif 000002
【特許請求の範囲】
【請求項１】
鏡筒と、前記鏡筒内に設けられる第１レンズと、前記鏡筒内に設けられて前記第１レンズに当接する遮光部材と、を含むレンズモジュールであって、
前記第１レンズは、結像のための光学部と、前記光学部を周回する支持部とを含み、
前記支持部は、物体側から像側へ向かって沈降することによって収容部を形成し、
前記遮光部材は、光軸方向において少なくとも一部が前記収容部内に収納されている、ことを特徴とするレンズモジュール。
【請求項２】
前記光学部は、物体側に近接する第１表面を含み、
前記支持部は、前記第１表面の縁より光軸から離間する方向に向かって像側へ延在する第２表面と、前記第２表面より光軸から離間しつつ当該光軸に直交する方向に向かって延在する第３表面とを含み、
前記第２表面と前記第３表面とは、前記収容部を囲む、ことを特徴とする請求項１に記載のレンズモジュール。
【請求項３】
前記遮光部材は、物体側に近接する物体側面と、像側に近接する像側面と、前記物体側面と前記像側面とを接続して光通過孔を囲む内縁面と、前記物体側面と前記像側面とを接続して前記鏡筒に当接する外縁面とを含む、ことを特徴とする請求項２に記載のレンズモジュール。
【請求項４】
前記鏡筒内に設けられる第２レンズをさらに含み、
前記第２レンズは、前記物体側面に当接する、ことを特徴とする請求項３に記載のレンズモジュール。
【請求項５】
前記物体側面は、前記第２レンズに当接する第１平面と、前記第１平面より光軸から離間する方向に向かって像側へ延在する斜壁面と、前記斜壁面より光軸から離間しつつ当該光軸に直交する方向に向かって延在する第２平面とを含み、
前記斜壁面と前記第２平面とは、第１段差を形成する、ことを特徴とする請求項４に記載のレンズモジュール。
【請求項６】
前記鏡筒は、前記第２レンズの周縁に当接する第１筒壁と、前記第１筒壁の像側に隣接する縁より光軸から離間する方向に沿って像側へ延在する第２筒壁と、前記第２筒壁の前記第１筒壁から離間する縁より光軸から離間しつつ当該光軸に直交する方向に沿って延在する第３筒壁と、前記第３筒壁の光軸から離間する縁より光軸の方向に沿って像側へ延在する第４筒壁とを含み、
前記第４筒壁は、前記外縁面に当接し、
前記第２筒壁と前記第３筒壁とは、前記第１段差と間隔をおいて設けられる第２段差を形成する、ことを特徴とする請求項５に記載のレンズモジュール。
【請求項７】
前記像側面は、前記第３表面に当接する、ことを特徴とする請求項３に記載のレンズモジュール。
【請求項８】
前記内縁面は、前記物体側面の光軸に近接する縁より光軸に近接する方向に向かって像側へ延在する第１側壁と、前記第１側壁の像側に近接する縁より光軸から離間しつつ当該光軸に直交する方向に沿って延在する第２側壁と、前記第２側壁の光軸から離間する縁より光軸から離間する方向に沿って前記像側面まで延在する第３側壁とを含み、
前記第３側壁は、前記第２表面と間隔をおいて設けられている、ことを特徴とする請求項３に記載のレンズモジュール。
【請求項９】
前記第２表面には、艶消し領域が設けられている、ことを特徴とする請求項２に記載のレンズモジュール。
【請求項１０】
前記支持部の像側に近接する縁と前記鏡筒との間で溝が囲まれており、
前記溝内には、接着剤が充填されている、ことを特徴とする請求項１に記載のレンズモジュール。
【発明の詳細な説明】
【技術分野】
【０００１】
本発明は、光学レンズ分野に関し、特にレンズモジュールに関する。
【背景技術】
【０００２】
近年、科学技術の継続的な発展に伴い、電子機器は継続的にスマート化へ発展し、デジタルカメラに加えて、タブレットＰＣ、携帯電話などの携帯型電子機器もレンズモジュールが配備されている。人々の使用ニーズを満たすために、レンズモジュールの小型化設計に対してもより高い要求が提出されている。従来技術では、レンズモジュールは、一般的に、鏡筒と、鏡筒内に積層される複数のレンズと、レンズの間に設けられる遮光部材とを含む。
【０００３】
本発明者らは、従来技術に少なくとも以下の課題が存在することを見出した。従来技術における遮光部材（例えば、遮光板）がレンズの間に設けられるのに起因して、レンズモジュールの体積を大きくさせるため、レンズモジュールの小型化設計のニーズに影響を与えてしまう。
【発明の概要】
【発明が解決しようとする課題】
【０００４】
本発明の目的は、小型化設計を実現するのに有利なレンズモジュールを提供することにある。
【課題を解決するための手段】
【０００５】
上記技術問題を解決するために、本発明の実施形態は、レンズモジュールを提供し、当該レンズモジュールは、鏡筒と、鏡筒内に設けられる第１レンズと、鏡筒内に設けられて第１レンズに当接する遮光部材とを含み、第１レンズは、結像のための光学部と、光学部を周回する支持部とを含み、支持部は、物体側から像側へ向かって沈降することによって収容部を形成し、遮光部材は、光軸方向において少なくとも一部が収容部内に収納されている。
【０００６】
従来技術と比較して、本発明の実施形態では、物体側から像側へ向かって沈降する収容部を第１レンズの支持部に設け、遮光部材を光軸方向において少なくとも一部が収容部内に収納し、これは、遮光部材を収容部が設けられていないレンズに直接架設するのと比較して、レンズが光軸方向に占用する空間と収容部内に遮光部材が占用する空間とが重なるので、鏡筒内の収納空間を節約することができ、鏡筒内の素子を減少しないままで、光軸方向における鏡筒の体積を小さくすることで、レンズモジュールの小型化設計に有利である。
【０００７】
また、光学部は、物体側に近接する第１表面を含み、支持部は、第１表面の縁より光軸から離間する方向に向かって像側へ延在する第２表面と、第２表面より光軸から離間しつつ当該光軸に直交する方向に向かって延在する第３表面とを含み、第２表面と第３表面とは、収容部を囲む。
【０００８】
また、遮光部材は、物体側に近接する物体側面と、像側に近接する像側面と、物体側面と像側面とを接続して光通過孔を囲む内縁面と、物体側面と像側面とを接続して鏡筒に当接する外縁面とを含む。
【０００９】
また、鏡筒内に設けられる第２レンズをさらに含み、第２レンズは、物体側面に当接する。
【００１０】
また、物体側面は、第２レンズに当接する第１平面と、第１平面より光軸から離れる方向に向かって像側へ延在する斜壁面と、斜壁面より光軸から離間しつつ当該光軸に直交する方向に向かって延在する第２平面とを含み、斜壁面と第２平面とは、第１段差を形成する。
【００１１】
また、鏡筒は、第２レンズの周縁に当接する第１筒壁と、第１筒壁の像側に隣接する縁より光軸から離間する方向に向かって像側へ延在する第２筒壁と、第２筒壁の第１筒壁から離間する縁より光軸から離間つつ当該光軸に直交する方向に延在する第３筒壁と、第３筒壁の光軸から離間する縁より光軸の方向に沿って像側へ延在する第４筒壁とを含み、第４筒壁は、外縁面に当接し、第２筒壁と第３筒壁とは、第１段差と間隔をおいて設けられる第２段差を形成する。このように、第１段差と第２段差との硬い接触または過度な押圧による鏡筒または遮光部材の損傷を回避することができる。
【００１２】
また、像側面は、第３表面に当接する。
【００１３】
また、内縁面は、物体側面の光軸に近接する縁より光軸に近接する方向に向かって像側へ延在する第１側壁と、第１側壁の像側に近接する縁より光軸から離間しつつ当該光軸に直交する方向に沿って延在する第２側壁と、第２側壁の光軸から離間する縁より光軸から離間する方向に沿って像側面まで延在する第３側壁とを含み、第３側壁と第２表面とは、間隔をおいて設けられている。
【００１４】
また、第２表面には、艶消し領域が設けられている。艶消し領域は、第２表面に入射される迷光を吸収／削減することができ、それによって、レンズモジュールの結像質量を向上する。
【００１５】
また、支持部の像側に近接する縁と鏡筒との間で溝が囲まれており、溝内には、接着剤が充填されている。このように、溝内に充填される接着剤により、第１レンズと鏡筒との間をより強固に固定して、レンズモジュールの信頼性を向上することができる。
【図面の簡単な説明】
【００１６】
【図１】本発明の実施形態に係るレンズモジュールの断面模式図である。
【図２】本発明の実施形態に係るレンズモジュールの第１レンズの断面模式図である。
【図３】本発明の実施形態に係るレンズモジュールの遮光部材の断面模式図である。
【図４】本発明の実施形態に係るレンズモジュールの鏡筒の断面模式図である。
【発明を実施するための形態】
【００１７】
本発明の目的、解決手段およびメリットがより明瞭になるように、以下では、図面を参照しながら本発明の各実施形態を詳細に説明する。しかしながら、本発明の各実施形態において、本発明をよりよく理解するために、多くの技術詳細を述べることは、当業者には理解されることである。しかし、これらの技術詳細および以下の各実施形態に基づく様々な変更および修正がなくても、本発明の各請求項が保護請求する技術案も実現できる。
【００１８】
本発明の実施形態に係るレンズモジュール１００は、図１に示すように、鏡筒１１と第１レンズ１２と遮光部材１３とを含み、第１レンズ１２は、鏡筒１１内に設けられ、遮光部材１３は、鏡筒１１内に設けられて第１レンズ１２に当接し、第１レンズ１２は、光学部１２１と支持部１２２とを含み、光学部１２１は、レンズモジュールの結像のためのものであり、支持部１２２は、光学部１２１を周回して設けられ、支持部１２２は、物体側から像側に向かって沈降することによって収容部１２３を形成し、遮光部材１３は、光軸ＯＯ’方向に少なくとも一部が収容部１２３内に収納されている。
【００１９】
従来技術と比較して、本発明の実施形態では、物体側から像側へ向かって沈降する収容部１２３を第１レンズ１２の支持部１２２に設け、遮光部材１３を光軸ＯＯ’方向に少なくとも一部が収容部１２３内に収納し、これは、遮光部材１３を収容部１２３が設けられていないレンズ１２に直接架設するのと比較して、レンズ１２が光軸ＯＯ’方向に占用する空間と収容部１２３内に遮光部材１３が占用する空間とが重なるので、鏡筒１１内の収納空間を節約することができ、鏡筒１１内の素子を減少しないままで、光軸ＯＯ’方向における鏡筒１１の体積を小さくすることで、レンズモジュール１００の小型化設計に有利である。なお、鏡筒１１内に遮光部材１３を設けることで、第１レンズ１２と鏡筒１１内の他の光学素子（例えば、他のレンズ）とを容易に離間させ、第１レンズ１２と他の素子との間に隙間間隔を予めおくことで、第１レンズ１２と他の光学素子との硬い接触または過度な押圧による第１レンズ１２または他の光学素子の損傷を回避する。
【００２０】
説明すべきことは、遮光部材１３は、光軸ＯＯ’方向において少なくとも一部が収容部１２３内に収納されており、「光軸ＯＯ’方向」とは、物体側から像側に向かう方向を指し、具体的に、遮光部材１３は、光軸ＯＯ’方向に延在する突起を含み、突起は、一部または全部が収容部１２３内に埋め込まれている。本実施形態では、突起は、一部が収容部１２３内に埋め込まれている。
【００２１】
以下では、本実施形態のレンズモジュールの詳細を具体的に説明するが、以下の内容は単に理解を容易にするために提供される実現詳細に過ぎず、本方案を実施するための必須なものではない。
【００２２】
具体的に、図２に示すように、光学部１２１は、物体側に近接する第１表面１２１１を含み、支持部１２２は、第１表面１２１１の縁より光軸ＯＯ’から離間する方向に向かって像側へ延在する第２表面１２２１と、第２表面１２２１より光軸ＯＯ’から離間しつつ当該光軸ＯＯ’に直交する方向に向かって延在する第３表面１２２２とを含み、第２表面１２２１と第３表面１２２２とは、収容部１２３を囲む。収容部１２３は、第２表面１２２１と第３表面１２２２とで囲まれる、物体側から像側に向かって沈降する凹部であってもよく、遮光部材１３は、光軸ＯＯ’方向に延在する突起を含み、突起は、一部または全部が凹部内に収納されており、本実施形態では、突起は、一部が凹部内に収納されているということは、理解されるべきである。
【００２３】
具体的に、図３に示すように、遮光部材１３は、物体側に近接する物体側面１３１と、像側に近接する像側面１３２と、物体側面１３１と像側面１３２とを接続して光通過孔１３０を囲む内縁面１３３と、物体側面１３１と像側面１３２とを接続して鏡筒１１に当接する外縁面１３４とを含む。本実施形態では、遮光部材１３の外縁面１３４と内縁面１３３と像側面１３２とは、光軸ＯＯ’方向に延在する突起を囲み、当該突起は、一部が収容部１２３内に埋め込まれているということは、理解されるべきである。同時に、外縁面１３４が鏡筒１１に当接することは、鏡筒１１内での遮光シート１３の安定性の維持に寄与する。説明すべきことは、本実施形態では、遮光部材１３は遮光板であってもよく、遮光板は遮光シートよりも厚いため、一部が収容部１２３内に埋め込まれることができ、迷光を遮断する効果を奏する。
【００２４】
なお、図１および図３を参照すると、レンズモジュール１００は、鏡筒１１内に設けられる第２レンズ１４をさらに含み、第２レンズ１４は、物体側面１３１に当接する。このように、第２レンズ１４と遮光部材１３を鏡筒１１内により強固に固定することができ、当該レンズモジュール１００が実装された電子機器を使用する時、第２レンズ１４と遮光部材１３とが鏡筒１１内で振れてレンズモジュール１００全体の信頼性に影響を与えるのを回避する。
【００２５】
具体的に、図３に示すように、物体側面１３１は、第２レンズ１４に当接する第１平面１３１１と、第１平面１３１１より光軸ＯＯ’から離間する方向に向かって像側へ延在する斜壁面１３１２と、斜壁面１３１２より光軸ＯＯ’から離間しつつ光軸ＯＯ’に直交する方向に向かって延在する第２平面１３１３とを含み、斜壁面１３１２と第２平面１３１３とは、第１段差１３１４を形成する。斜壁面１３１２と第２平面１３１３とが第１段差１３１４を形成するため、第１平面１３１１と斜壁面１３１２とが第２平面１３１３よりも物体側へ突出して、第１平面１３１１が第２レンズ１４を支持することができ、これによって、第１レンズ１２と第２レンズ１４との間に間隙を予めおくことで、第１レンズ１２と第２レンズ１４との硬い接触または過度な押圧による第１レンズ１２または第２レンズ１４の損傷を回避する。
【００２６】
具体的に、図１、図３、図４に示すように、鏡筒１１は、第２レンズ１４の周縁に当接する第１筒壁１１１と、第１筒壁１１１の像側に隣接する縁より光軸ＯＯ’から離間する方向に沿って像側へ延在する第２筒壁１１２と、第２筒壁１１２の第１筒壁１１１から離間する縁より光軸ＯＯ’から離間しつつ光軸ＯＯ’に直交する方向に延在する第３筒壁１１３と、第３筒壁１１３の光軸ＯＯ’から離間する縁より光軸ＯＯ’の方向に沿って像側へ延在する第４筒壁１１４とを含み、第４筒壁１１４は、外縁面１３４に当接し、第２筒壁１１２と第３筒壁１１３とは、第１段差１３１４と間隔をおいて設けられた第２段差１１５を形成する。このように、第１段差１３１４と第２段差１１５との硬い接触または過度な押圧による鏡筒１１または遮光部材１３の損傷を回避することができる。
【００２７】
具体的に、像側面１３２は、第３表面１２２２に当接する。このように、遮光シート１３が鏡筒１１内で振れるのを回避することができ、さらに鏡筒１１内での遮光シート１３の安定性を維持し、レンズモジュール１００全体の信頼性を向上することができる。
【００２８】
具体的に、図３に示すように、内縁面１３３は、物体側面１３１の光軸ＯＯ’に近接する縁より光軸ＯＯ’に近接する方向に向かって像側へ延在する第１側壁１３３１と、第１側壁１３３１の像側に近接する縁より光軸ＯＯ’から離間しつつ光軸ＯＯ’に直交する方向に延在する第２側壁１３３２と、第２側壁１３３２の光軸ＯＯ’から離間する縁より光軸ＯＯ’から離間する方向に沿って像側面まで延在する第３側壁１３３３とを含み、第３側壁１３３３は、第２表面１２２１と間隔をおいて設けられている。第３側壁１３３３が第２表面１２２１と間隔をおいて設けられているため、第３側壁１３３３と第２表面１２２１との硬い接触または過度な押圧による第１レンズ１２または遮光部材１３の損傷を回避することができる。
【００２９】
好ましくは、第２表面１２２１には艶消し領域が設けられ、具体的に、艶消し領域は、粗面化処理された表面、または、艶消し材料が塗布された表面であってもよい。艶消し領域は、第２表面１２２１に入射される迷光を吸収／削減することができ、それによって、レンズモジュール１００の結像質量を向上する。
【００３０】
本実施形態では、図１に示すように、支持部１２２の像側に近接する縁と鏡筒１１との間で溝１５が囲まれており、溝１５内には、接着剤が充填されている。このように、溝１５内に充填される接着剤により、第１レンズ１２と鏡筒１１との間をより強固に固定し、レンズモジュール１００の信頼性を向上することができる。当然ながら、本発明の他の実施形態では、第１レンズ１２の像側に近接する縁に圧力リングを設け、圧力リングに接着剤を分配することで第１レンズ１２と鏡筒１１とを固定してもよい。
【００３１】
なお、図１に示すように、レンズモジュール１００は、第２レンズ１４の物体側に設けられる第３レンズ１６と、第３レンズ１６の物体側に設けられる第４レンズ１７と、第４レンズ１７の物体側に設けられる第５レンズ１８とをさらに含む。
【００３２】
上記各実施形態は、本発明を実現する具体的な実施例であり、実際の適用において、本発明の精神および範囲を逸脱することなく、形態および詳細において様々な変更がなされ得ることは、当業者には理解され得る。
【図１】
2020027281.tif 000003
【図２】
2020027281.tif 000004
【図３】
2020027281.tif 000005
【図４】
2020027281.tif 000006